(57)【特許請求の範囲】
【請求項１】
胴部と、胴部上部に連接し、上方に向けて胴部よりも縮径して天面部または頂部となる縮径部とを有する容器と、
容器の胴部を覆う熱収縮性フィルムと、
熱収縮性フィルムを除去するために熱収縮性フィルムの上端縁部に設けられる摘み部と、
を有し、
熱収縮性フィルムの上端縁部は、胴部の上端より下方に予め定めた所定の間隔距離を離して容器胴部の外周表面に沿うように設けられ、
摘み部は、熱収縮フィルムの上端縁部から上方に向けて立ち上がり、縮径部から離間して設けられることを特徴とする包装体。
【請求項２】
容器本体と、その取出口に取付けられるキャップとを有する容器と、
容器本体からキャップにかけて容器本体とキャップとを覆う熱収縮性フィルムと、
熱収縮性フィルムを除去するために熱収縮性フィルムの上端縁部に設けられる摘み部と、
を備え、
キャップは、キャップ胴部と、キャップ胴部上部に連接し、上方に向けてキャップ胴部よりも縮径して天面部または頂部となるキャップ縮径部とを有し、
熱収縮性フィルムの上端縁部は、キャップ胴部の上端より下方に予め定めた所定の間隔距離を離してキャップ胴部の外周表面に沿うように設けられ、
摘み部は、熱収縮性フィルムの上端縁部から上方に向けて立ち上がり、キャップ縮径部から離間して設けられることを特徴とする包装体。
【請求項３】
容器本体と、その取出口に取付けられるキャップとを有する容器と、
容器本体からキャップにかけて容器本体とキャップとを覆う熱収縮性フィルムと、
熱収縮性フィルムを除去するために熱収縮性フィルムの上端縁部に設けられる摘み部と、
を備え、
キャップは、キャップ胴部とキャップ胴部に連接する天面部とを有し、
熱収縮性フィルムの上端縁部は、キャップ胴部の上端より下方に予め定めた所定の間隔距離を離してキャップ胴部の外周表面に沿うように設けられ、
摘み部は、熱収縮性フィルムの上端縁部から上方に向けて立ち上がり、天面部から離間して設けられることを特徴とする包装体。
【請求項４】
請求項１から３のいずれか１に記載の包装体において、
摘み部は、裏面に剛性補強用印刷部を有することを特徴とする包装体。
【請求項５】
請求項１から４のいずれか１に記載の包装体において、
容器は、その最大外周径の位置から底部に向けて縮径する容器下方部を有し、
熱収縮性フィルムは、縮径する容器下方部の外周表面に沿って縮径することを特徴とする包装体。
【請求項６】
請求項１から４のいずれか１に記載の包装体において、
容器は、その最大外周径の位置から天面部または頂部に向けて縮径する容器上方部を有し、
熱収縮性フィルムは、縮径する容器上方部の外周表面に沿って縮径することを特徴とする包装体。
【請求項７】
請求項１から６のいずれか１に記載の包装体において、
熱収縮性フィルムは、
容器の外周面の周方向に沿って設けられる横ミシン目と、
摘み部から横ミシン目に向かって設けられる縦ミシン目と、
横ミシン目に沿って、横ミシン目の配置方向に対し傾斜して設けられる複数の傾斜切れ目と、
を有することを特徴とする包装体。
【請求項８】
請求項１から６のいずれか１に記載の包装体において、
熱収縮性フィルムは、
容器の外周面の周方向に沿って設けられる横ミシン目と、
摘み部から横ミシン目に向かって設けられる縦ミシン目と、
横ミシン目よりも下端部側における裏面に設けられる接着層と、
を有することを特徴とする包装体。
【発明の詳細な説明】
【技術分野】
【０００１】
本発明は包装体に係り、特に、容器を包装する熱収縮性フィルムにフィルム除去用の摘みが設けられる包装体に関する。
【背景技術】
【０００２】
点眼薬等の液体を入れる小型の容器をフィルム体で包装する包装体については、容器が小型のためフィルム体を取り除くことに工夫がなされている。一般的には、このような小型の容器は、液体を収容する容器本体と、容器本体に形成された取出口部にキャップがネジによって着脱自在に取付けられている。そして、包装体としては、例えば、容器本体とキャップとを覆って熱収縮性フィルムが密着して取付けられており、この熱収縮性フィルムは横ミシン目によって開封時に切り離されて廃棄される切離部と、そのまま容器本体に残るラベル部とに仕切られる。そして、キャップの上部側から横ミシン目に向かって縦ミシン目が設けられ、切離部の端部には、縦ミシン目の近傍に摘み部が設けられる。熱収縮性フィルムを開封するには、この摘み部を持ち、縦ミシン目に沿って引き起こすことで縦方向に引き裂かれ、横ミシン目に達し、そこで横ミシン目に沿って周方向に引き裂かれ、これによって、ラベル部を容器本体に残したまま、切離部を除去することができる。
【０００３】
たとえば、引用文献１においては、上記一般的構造について述べられ、摘み部を持って縦ミシン目に沿って引き裂いたのち、横ミシン目に沿って引き裂くには、縦ミシン目で分割された縁付近を保持しなおすことが必要で、これが面倒である、と述べられている。そこで、摘み部の横の一方側から第１縦ミシン目を横ミシン目に達するまで設け、摘み部の横の他方側から第２縦ミシン目を横ミシン目に向かって設けるが、その手前で止める構成が開示されている。これによれば、第２縦ミシン目の端部は切離部の途中で止まっているので、切離部に繋がって連続しており、切離部のところに舌片が形成され、そのまま引っ張ることで、横ミシン目に沿って破り切離部を除去できる、と述べられている。
【０００４】
【特許文献１】特開２００４−１４２８１８号公報
【発明の開示】
【発明が解決しようとする課題】
【０００５】
上記のように、小型の容器を熱収縮性フィルムで包む包装体において、熱収縮性フィルムを除去するために、フィルムの端縁部に摘み部が設けられる。熱収縮性フィルムは、容器のキャップの天面部と呼ばれる上部のところまで端縁部が天面部に沿うように覆われるので、端縁部から延出される摘み部はその天面部に沿った形態で設けられる。この摘み部を持つには、特許文献１に述べられるように、天面部に沿っている状態から引き起こす必要がある。容器が小型であると、摘み部も小型で、この引き起こしに手間取る等、面倒である。
【０００６】
本発明の目的は、小型の容器を包装する熱収縮性フィルムを除去するための摘み部が摘み易い包装体を提供することである。
【課題を解決するための手段】
【０００７】
本発明に係る包装体は、胴部と、胴部上部に連接し、上方に向けて胴部よりも縮径して天面部または頂部となる縮径部とを有する容器と、容器の胴部を覆う熱収縮性フィルムと、
熱収縮性フィルムを除去するために熱収縮性フィルムの上端縁部に設けられる摘み部と、を有し、熱収縮性フィルムの上端縁部は、胴部の上端より下方に予め定めた所定の間隔距離を離して容器胴部の外周表面に沿うように設けられ、摘み部は、熱収縮フィルムの上端縁部から上方に向けて立ち上がり、縮径部から離間して設けられることを特徴とする。
【０００８】
また、本発明に係る包装体は、容器本体と、その取出口に取付けられるキャップとを有する容器と、容器本体からキャップにかけて容器本体とキャップとを覆う熱収縮性フィルムと、熱収縮性フィルムを除去するために熱収縮性フィルムの上端縁部に設けられる摘み部と、を備え、キャップは、キャップ胴部と、キャップ胴部上部に連接し、上方に向けてキャップ胴部よりも縮径して天面部または頂部となるキャップ縮径部とを有し、熱収縮性フィルムの上端縁部は、キャップ胴部の上端より下方に予め定めた所定の間隔距離を離してキャップ胴部の外周表面に沿うように設けられ、摘み部は、熱収縮性フィルムの上端縁部から上方に向けて立ち上がり、キャップ縮径部から離間して設けられることを特徴とする。
【０００９】
また、本発明に係る包装体は、容器本体と、その取出口に取付けられるキャップとを有する容器と、容器本体からキャップにかけて容器本体とキャップとを覆う熱収縮性フィルムと、熱収縮性フィルムを除去するために熱収縮性フィルムの上端縁部に設けられる摘み部と、を備え、キャップは、キャップ胴部とキャップ胴部に連接する天面部とを有し、熱収縮性フィルムの上端縁部は、キャップ胴部の上端より下方に予め定めた所定の間隔距離を離してキャップ胴部の外周表面に沿うように設けられ、摘み部は、熱収縮性フィルムの上端縁部から上方に向けて立ち上がり、天面部から離間して設けられることを特徴とする。
【００１０】
また、本発明に係る包装体において、摘み部は、裏面に剛性補強用印刷部を有することが好ましい。
【００１１】
また、本発明に係る包装体において、容器は、その最大外周径の位置から底部に向けて縮径する容器下方部を有し、熱収縮性フィルムは、縮径する容器下方部の外周表面に沿って縮径することが好ましい。
【００１２】
また、本発明に係る包装体において、容器は、その最大外周径の位置から天面部または頂部に向けて縮径する容器上方部を有し、熱収縮性フィルムは、縮径する容器上方部の外周表面に沿って縮径することが好ましい。
【００１３】
また、本発明に係る包装体において、熱収縮性フィルムは、容器の外周面の周方向に沿って設けられる横ミシン目と、摘み部から横ミシン目に向かって設けられる縦ミシン目と、横ミシン目に沿って、横ミシン目の配置方向に対し傾斜して設けられる複数の傾斜切れ目と、を有することが好ましい。
【００１４】
また、本発明に係る包装体において、熱収縮性フィルムは、容器の外周面の周方向に沿って設けられる横ミシン目と、摘み部から横ミシン目に向かって設けられる縦ミシン目と、横ミシン目よりも下端部側における裏面に設けられる接着層と、を有することが好ましい。
【発明の効果】
【００１５】
上記構成により、胴部と、胴部上部に連接し、上方に向けて胴部よりも縮径して天面部または頂部となる縮径部とを有する容器についての包装体は、容器の胴部を熱収縮性フィルムで覆い、熱収縮性フィルムを除去するために熱収縮性フィルムの上端縁部に摘み部が設けられる。ここで、熱収縮性フィルムの上端縁部は、胴部の上端より下方に予め定めた所定の間隔距離を離して容器胴部の外周表面に沿うように設けられて、摘み部は、熱収縮フィルムの上端縁部から上方に向けて立ち上がり、縮径部から離間して設けられる。従来技術では、摘み部が容器に密接して延伸しているので摘みにくいことがあるが、これに比較し、小型の容器を包装する熱収縮性フィルムを除去するための摘み部が摘み易い。
【００１６】
また、容器本体とキャップとを有する容器についての包装体は、容器本体からキャップにかけて容器本体とキャップとを熱収縮性フィルムが覆い、熱収縮性フィルムを除去するために熱収縮性フィルムの上端縁部に摘み部が設けられる。ここで、熱収縮性フィルムの上端縁部は、キャップ胴部の上端より下方に予め定めた所定の間隔距離を離してキャップ胴部の外周表面に沿うように設けられ、摘み部は、熱収縮性フィルムの上端縁部から上方に向けて立ち上がり、キャップ縮径部から離間して設けられる。これによって、小型の容器を包装する熱収縮性フィルムを除去するための摘み部が摘み易い。
【００１７】
また、容器本体とキャップとを有する容器で、キャップが天面部を有するときの包装体は、容器本体からキャップにかけて容器本体とキャップとを熱収縮性フィルムが覆い、熱収縮性フィルムを除去するために熱収縮性フィルムの上端縁部に摘み部が設けられる。ここで、熱収縮性フィルムの上端縁部は、キャップ胴部の上端より下方に予め定めた所定の間隔距離を離してキャップ胴部の外周表面に沿うように設けられ、摘み部は、熱収縮性フィルムの上端縁部から上方に向けて立ち上がり、キャップの天面部から離間して設けられる。これによって、小型の容器を包装する熱収縮性フィルムを除去するための摘み部が摘み易い。
【００１８】
また、包装体において、摘み部は、裏面に剛性補強用印刷部を有するので、裏面に何も設けられない場合に比べ、摘み部が容器の外周面から離間して立ち上がり易くなる。
【００１９】
また、容器がその最大外周径の位置から底部に向けて縮径する容器下方部を有する場合、包装体において、熱収縮性フィルムは、縮径する容器下方部の外周表面に沿って縮径するので、ミシン目等によって熱収縮フィルムの除去が行われるまでは、熱収縮フィルムのラベル部が上方に抜けることを防止できる。
【００２０】
また、容器がその最大外周径の位置から天面部または頂部に向けて縮径する容器上方部を有する場合、包装体において、熱収縮性フィルムは、縮径する容器上方部の外周表面に沿って縮径するので、ミシン目等によって熱収縮フィルムの除去が行われるまでは、熱収縮フィルムのラベル部が下方に抜けることを防止できる。
【００２１】
また、包装体において、熱収縮性フィルムは、容器本体の外周面の周方向に沿って設けられる横ミシン目と、摘み部から横ミシン目に向かって設けられる縦ミシン目と、横ミシン目に沿って、横ミシン目の配置方向に対し傾斜して設けられる複数の傾斜切れ目と、を有する。摘み部を容器の外周面から離間して立ち上がるようにするため、熱収縮性フィルムの上端縁部をキャップ胴部の上端から下方に所定の間隔距離を離して設けると、キャップの上面に熱収縮性フィルムが密着していない。したがって、容器の形状によっては、熱収縮性フィルムがキャップの上方側に抜かれることが生じえる。これでは、包装体としてキャップをイタズラ等で故意に開けることを防止する等の保護機能が損なわれる。
【００２２】
上記構成によれば、故意に熱収縮性フィルムを抜こうとすると、複数の傾斜切れ目によって不可逆的に熱収縮性フィルムが破れ、元通りに復元することが困難になる。したがって、縦ミシン目を破らずに、横ミシン目のみを破ってキャップ等を開け、その後元通りに復元するといったイタズラ等の発見が容易となるので、このようなイタズラを抑制することができる。
【００２３】
また、包装体において、熱収縮性フィルムは、容器本体の外周面の周方向に沿って設けられる横ミシン目と、摘み部から横ミシン目に向かって設けられる縦ミシン目と、横ミシン目よりも下方端側における裏面に設けられる接着層とを有する。これによって、熱収縮性フィルムと容器との間の一体化を強化することができ、例えば、熱収縮性フィルムがキャップの上方側にも下方側にも抜かれることを抑制する。
【発明を実施するための最良の形態】
【００２４】
以下に図面を用いて本発明に係る実施の形態につき詳細に説明する。以下では、包装される容器として、小型の目薬容器を説明するが、これ以外でも摘み部を有する熱収縮性フィルムで包装される容器であればよい。また、以下では、容器は、容器本体とキャップとを含んで構成されるものを説明するが、キャップがなく容器本体の上部が封止されている容器であってもよい。
【００２５】
図１は、摘み部を有する熱収縮性フィルムで包装された包装体１０の様子を説明する図である。ここでは、小型の容器２０としての目薬容器に加熱収縮前の筒状の熱収縮性フィルム２９を被せ、適当な加熱、例えば、約１００℃から約２００℃の熱風による加熱を施すことによって収縮させた熱収縮性フィルム３０で包んで形成された包装体１０が示されている。
【００２６】
容器２０は、目薬を中に収容する容器本体２２と、容器本体２２の上部の取出口部にネジによって着脱自在に取付けられるキャップ２４を含んで構成される。容器２０は、目薬の特性に適合した樹脂材料で形成され、その大きさは、高さが約３０ｍｍから約６０ｍｍ程度、外径が約１０ｍｍから約２５ｍｍ程度の大きさである。図１の例では、キャップ２４の取り扱い易さを考えて、容器本体２２の外径とキャップ２４の外径とはほとんど同じとされている。
【００２７】
キャップ２４は、外周径が同じ部分であるキャップ胴部と、その上部の平らな頂部である天面部とを有する。もっとも、キャップ胴部から天面部に向かっては、外周径が次第に小さくなる縮径部となる。この縮径部は、キャップ胴部の上部に連接し、上方に向けてキャップ胴部よりも縮径して天面部または頂部となる部分である。なお、キャップを有しない容器の場合には、容器胴部があり、その容器胴部の上部に連接し、上方に向けて容器胴部よりも縮径して天面部または頂部となる部分が容器縮径部となる。
【００２８】
加熱収縮前の熱収縮性フィルム２９は、容器２０の最大外形よりも大きな内径を有する筒状のフィルムであり、これを容器２０に被せ、適当な条件で加熱することで収縮し、容器２０の外周面に密着して取付けられる特性を有するフィルムである。なお、これとは別の方法として、加熱前の熱収縮性フィルムをシート状にしたものを容器２０の外周に沿って巻き付けるものとしてもよい。図１では、加熱収縮前の筒状の熱収縮性フィルム２９において、センターシール部３２、横ミシン目３４、縦ミシン目３６、摘み部５０、上端縁部４８が示されている。これらの詳細な内容については後述する。
【００２９】
加熱収縮前の熱収縮性フィルム２９に対して加熱を行い、これによる熱収縮には、異方性を持たせることができ、図１の場合では、容器２０の容器本体２２からキャップ２４に向かう方向を上下方向とし、これに直交する方向を幅方向とすると、筒状の熱収縮性フィルム２９において、加熱による幅方向の熱収縮率を上下方向の熱収縮率より大きくなるように設定される。
【００３０】
かかる熱収縮性フィルム２９の素材としては、例えば、ポリエチレンテレフタレート（ＰＥＴ）、ポリブチレンテレフタレート（ＰＢＴ）、ポリエチレンナフタレート（ＰＥＮ）などのポリエステル系樹脂；ポリエチレン、ポリプロピレンなどのポリオレフィン系樹脂；スチレン−ブタジエン共重合体などのポリスチレン系樹脂；ポリ塩化ビニル系樹脂、ポリ塩化ビニリデン系樹脂等を用いることができる。これらの素材は単独で又は２種以上混合して使用できる。なかでも、ポリスチレン系樹脂、ポリエステル系樹脂、ポリ塩化ビニル系樹脂からなるフィルムが好ましい。これらの熱収縮性フィルム２９は、単層フィルム及び多層フィルムの何れで構成されていてもよい。
【００３１】
熱収縮性フィルム２９は、少なくとも一方向（例えば、横方向）に延伸処理が施されており、延伸方向に熱収縮性を示す。上記の例では、延伸方向を幅方向とするシートをセンターシール部３２で合わせて筒状の熱収縮性フィルム２９とする。この延伸処理は、テンター方式、チューブ方式等の方式を用いて、例えば、７０〜１００℃程度の温度で、主延伸方向に２．０〜８．０倍、好ましくは３．５〜６．０倍程度延伸することにより行われる。なお、主延伸方向に直交する方向にも、１．１〜１．５倍程度の延伸を行うものとできる。
【００３２】
このようにして一方向に延伸された熱収縮性フィルム２９の主延伸方向の加熱による熱収縮率は、９０℃（温水に１０秒間浸漬）において、例えば１０〜８０％程度、好ましくは２０〜７５％程度である。このとき、主延伸方向に直交する方向においては−３〜＋１０％程度の熱収縮率である。ここで−３％とは、３％の熱膨張であることを示す。この熱収縮率は、熱収縮性フィルム２９を構成する樹脂の種類、延伸倍率等の延伸条件を適宜選択することにより調整できる。熱収縮性フィルム２９の厚みは、収縮応力とコストの点から、例えば１０〜８０μｍ、好ましくは２０〜６０μｍ程度の範囲から選択することができる。
【００３３】
図１の包装体１０において、摘み部５０は、容器２０の外周表面から離間し、立ち上がるように形成される。このために、加熱収縮後における熱収縮性フィルム３０の上端縁部４８は、容器２０の上部を全部覆うことはせず、後述のように、キャップ２４の最上面である天面部よりも下方に予め定めた所定の間隔距離を離して、キャップ胴部の外周表面に沿うように設定される。
【００３４】
図１の包装体１０を、従来技術の包装体１１と比較した様子を図２に示す。この図は、図１で説明した容器本体２２とキャップ２４とを有する容器を同じ材質の熱収縮性フィルムであるが、その上端縁部の位置が異なるものを比較したもので、左側の図２（ａ）が図１で説明した包装体１０、右側の図２（ｂ）が従来技術の包装体１１である。
【００３５】
包装体１０は、熱収縮性フィルムの上端縁部４８の位置が、キャップ胴部の上端、つまり、キャップ胴部の上部に連接しているキャップ２４の最上部である天面部からＳだけ下った位置となる熱収縮性フィルム３０によって包装されている。これに対し、従来技術による包装体１１は、その上端縁部４９がキャップ２４の天面部の上の一部を覆う熱収縮性フィルム３１によって包装されている。この構造の相違により、包装体１０においては、摘み部５０が天面部に沿うことなくキャップ２４の外周表面から離間して立ち上がっているのに対し、従来技術の包装体１１においては、摘み部５１が熱収縮性フィルム３１の上端縁部４９がキャップ２４の天面部を覆っているのに従って、キャップ２４の天面部の上に沿って延び、キャップ２４から離間せず、立ち上がっていない。
【００３６】
ここで、熱収縮性フィルムの上端縁部とは、加熱収縮前の状態でいえば、図１に示されるように、摘み部５０が設けられる上辺のうち、張り出している摘み部５０を除いた直線的部分である。容器を包装した状態でいえば、容器の周囲を包んでいる上部の境界であって、摘み部を除く部分である。したがって、図２（ａ）に示される包装体１０においては、上端縁部４８は、キャップ２４の外周を包む上部の境界であって、摘み部５０を除くところであり、上記のように、キャップ２４の天面部からＳだけ下ったキャップ胴部の外周表面に沿うように設けられている。一方、図２（ｂ）の包装体１１にあっては、上端縁部４９は、キャップ２４の天面部を覆っているところと覆っていないところの境界であって、摘み部５１を除くところであり、上記のように、キャップ２４の天面部に沿うように設けられている。
【００３７】
熱収縮性フィルムは、容器に被せて適当な加熱を与えると収縮して、容器の外形に沿って密着する。したがって、収縮前の熱収縮性フィルムの上端縁部がキャップ２４の天面部を越えてその上方に延びるように位置合わせして熱収縮させたときは、加熱により、その上端縁部はキャップ２４の外形であるキャップ２４の天面部に沿って密着しようとする。このとき、摘み部も、上端縁部の密着に従って、キャップ２４の天面部の上に延びる形態で配置されることになる。この場合が、図２の右側の図に示す従来技術の包装体１１である。
【００３８】
収縮前の熱収縮性フィルムの上端縁部を、キャップ２４の天面部を越えないように、いくらかその下方になるように位置合わせして熱収縮させると、加熱によって、その上端縁部はキャップ２４の外形であるキャップ２４の側面に沿って密着することになる。このとき、摘み部は、上端縁部のキャップ胴部への密着に従って、鉛直上方に延びるキャップ２４の側面に沿って上方に延びる形態で配置され、その先端がキャップ胴部上端の上方に位置するキャップ２４の天面部より上方に越えるようにすることで、キャップ２４の外周面から離間し、上方に立ち上がることになる。この場合が、図２の左側の図に示す包装体１０である。
【００３９】
上記では、キャップ２４が円筒形で、その頂部が平坦な天面部であり、円筒形から天面部への移り変わりはごく短い寸法で行われる場合を想定してある。実際のキャップの形態は様々であるが、いずれにしても、熱収縮性フィルムの加熱による収縮が容器の外形に沿って密着して行われるので上端縁部も外形に沿って密着する。このため、熱収縮の際に、摘み部がキャップ２４の外周面から離間して立ち上がるためには、熱収縮性フィルムの上端縁部が、キャップ胴部の上端よりも下方に設けられることが必要である。なお、いくつかの容器の形態についての上端縁部の設定については、例をあげて後述する。
【００４０】
そして、キャップ２４の形状のばらつき、熱収縮性フィルムの形状のばらつき等を考慮すると、いくらかの余裕を見て上端縁部の配置を行うことが好ましい。図２の左側の図では、熱収縮性フィルム３０の上端縁部４８は、キャップ胴部の上端の位置よりも予め定めた所定の間隔距離Ｓを置くことが示されている。所定の間隔距離Ｓは、例えば、約１ｍｍから約３ｍｍ程度とすることができる。
【００４１】
次に、加熱収縮前の熱収縮性フィルム２９の製造方法を説明する。図３は、その１つの例で、長尺シート状の素材を幅方向に筒状に丸め、その両端で重ね合わせて接着固定することで長尺筒状のものとする。この接着固定は、センターシールと呼ばれることがある。この長尺筒状のものを所定の長さに切断して、個々の加熱収縮前熱収縮性フィルム２９とするものである。シート状の素材は、上記のように、少なくとも幅方向に一軸性の延伸加工が行われたものが用いられ、また、幅広のものをつくり、これを所定の筒状形状に合わせて、所定幅に切断するものとできる。長さ方向の切断には、上端縁部４８となる直線的切断が行われるが、摘み部５０を形成するために、一部分が張出形状とされる。したがって、この上端縁部４８における張出部に対応して、個々に切断分離した後の形状は、下端部が一部切り欠いたものとなる。なお、図１の包装体１０において、加熱収縮後の熱収縮性フィルム３０の下端部が一部切り欠かれて容器が覗いている様子が示されている。
【００４２】
図４は、加熱収縮前の熱収縮性フィルム２９の詳細図である。ここでは、図３の方法で製造された形態のものが示されている。以下では、図１から図３と同様の要素には同一の符号を付し、詳細な説明を省略する。また、以下では、図１から図３の符号を用いて説明する。すでに図１で簡単に説明したように、この筒状の熱収縮性フィルム２９には、センターシール部３２、横ミシン目３４、縦ミシン目３６、摘み部５０が設けられる。なお、図５には、上端縁部４８が示されている。
【００４３】
センターシール部３２は、図３で説明したように、シート状の素材を丸めて筒状とするために、幅方向の両端部で接着固定される部分である。接着固定は、接着材や溶剤を用いる方法、感熱接着材を用いた熱シールによる方法、高周波加熱を用いる方法等を用いることができる。拡大図Ａに示されるように、熱収縮性フィルム２９の裏面、つまり容器２０に密着する側の面に表示等のための印刷層４０を設ける場合には、センターシール部３２のところで印刷層を一部設けないようにすることが好ましい。図４の例では、表側に来るシートの裏面の印刷層４０が一部省略されている。
【００４４】
摘み部５０は、上記のように、容器２０を包む熱収縮性フィルム３０を除去する際に、ユーザがこれを摘んで引っ張りやすいように設けられる張出部である。摘み部５０は、加熱収縮前の熱収縮性フィルム２９の上端縁部４８から、指で摘める程度の大きさで張り出して設けられる。摘み部５０の大きさは、幅を約２ｍｍから約１０ｍｍ、張り出しの長さを約５ｍｍから約２０ｍｍ程度とすることができる。
【００４５】
容器への接着状態を示す断面図Ｂに示されるように、摘み部５０の裏面、すなわち容器２０の外周面に向かい合う面に、適当な印刷層４０を設けることが好ましい。この印刷層４０は、表示のためというよりは、むしろ摘み部５０の剛性を補強するために機能する。つまり、印刷層４０は適当な厚さを有するので、その厚さによって摘み部５０の部分のフィルム全体の剛性を高め、これによって、熱収縮の際に、摘み部５０が容器２０の外周側に倒れることを抑制する。また、内面のみに印刷層４０が設けられるので、外面側にカールしやすくなり、いっそう、容器の外周側に倒れにくい。
【００４６】
横ミシン目３４は、熱収縮性フィルム２９の幅方向に沿って、筒状の一周に渡って設けられるミシン目である。ミシン目としては、孔が開けられる切り部と、孔と孔との間である継ぎ部とを繰り返すものが用いられる。孔を開ける手段としては、回転刃を用いることができ、またダイカットやレーザ加工機を用いてもよい。横ミシン目３４は、その下部側を容器２０の内容物についての表示を行うラベル部とし、上部側をキャップ２４の開封のときに切り離す切離部として、両者を分離するための機能を有する開封部である。
【００４７】
また、縦ミシン目３６は、摘み部５０から横ミシン目３４に向かって設けられるミシン目で、ユーザが摘み部５０を摘んでこれを容器２０の底部に向かって引っ張ることで縦方向に破れ目を形成し、横ミシン目３４に接続する機能を有する。縦ミシン目３６としては、摘み部５０の片側から一条のミシン目を設けるものとしてもよく、摘み部５０の両側からそれぞれ一条ずつ合計二条のミシン目を設けるものとしてもよい。
【００４８】
拡大図Ｃに示されるように、縦ミシン目３６が交わるところの横ミシン目３４は、切れ部の長さを他のところよりも長めの長孔３５とすることが好ましい。これによって、縦ミシン目３６の破れ目が横ミシン目３４に容易に接続される。同様に、拡大図Ｄに示されるように、センターシール部３２が交わるところの横ミシン目３４も、長孔３５とすることが好ましい。これによって、周方向に破り、熱収縮性フィルムの除去が容易となる。
【００４９】
破線丸部で示される詳細図Ｅは、横ミシン目３４に交差して設けられる傾斜切れ目３３を示す図である。この傾斜切れ目３３は、縦ミシン目３６を用いて取り除くことなく例えば切離部を回転させて横ミシン目３４のみを不正に開封したときに、元通りに復元することを困難にするために設けられるものである。すなわち、このような開封の際に、この傾斜切れ目３３のところで、加熱収縮して容器２０に密着している熱収縮性フィルム３０はかなり複雑に破れ、これを目視では分からない程度に復元することが難しい。つまり、この傾斜切れ目３３は、フィルム除去処理を不可逆的とする機能を有する。これによって、例えば、故意に切離部を取り除くことなくフィルムを開封してキャップ等を開け、その後元通りに復元するといったイタズラ等の発見が容易となるので、このようなイタズラ等を抑制することができる。
【００５０】
また、横ミシン目３４の下部側、つまりラベル部となる部分の裏面、すなわち容器２０に向かい合う面に、適当な接着層を設けることができる。これにより、フィルム除去の際だけでなく、フィルム除去の前、フィルム除去の後において、ラベル部も一緒に容器２０から外れてしまうこと等を防止できる。すなわち、フィルム除去前にはフィルム自身が容器２０の上下方向のいずれにも抜けることが防止され、除去後には、ラベル部が容器２０の上下方向のいずれにも抜けることが防止される。
【００５１】
図５から図８は、いくつかの容器の形態について、熱収縮性フィルムの上端縁部の配置の設定の様子を説明する図である。以下では、図１から図４と同様の要素には同一の符号を付し、詳細な説明を省略する。また、これらの例示において、図４で説明した印刷層４０、長孔３５、傾斜切れ目３３、接着層等をそれぞれ用途に応じて用いることができる。
【００５２】
図５は、容器６０が大きな外周径を有する容器本体６２と小さな外周径を有するキャップ６４を含んで構成され、キャップ６４の上部が平坦な天面部６６を有する形態の場合である。この形態は、図１、図２とほぼ同様であるので、熱収縮性フィルム３０の上端縁部４８の位置は、天面部６６から下方に所定の間隔距離を離してキャップ６４の側の胴部のところに設定される。横ミシン目３４は、ラベル部の表示が十分にでき、かつ、接着しなくてもフィルムや切離部を除去後のラベル部が下方へ抜けないように、容器本体６２の上側であって、容器本体の胴部が上方に行くにつれて縮径する肩部のところに設定することが好ましい。また、熱収縮性フィルム３０は、容器本体６２の底部の一部を覆うようにすることが好ましい。このようにすることで、摘み部５０を引っ張ったときに、熱収縮性フィルム３０が上方に抜けてしまうことを防止できる。
【００５３】
図６は、容器７０において、容器本体７２とキャップ７４とが同じ外周径を有し、キャップ７４の上部が平坦な天面部７６を有する形態の場合である。この場合も、図５と同様に、熱収縮性フィルム３０の上端縁部４８の位置は、天面部７６から下方に所定の間隔距離を離してキャップ７４の側の胴部のところに設定される。横ミシン目３４も、容器本体７２の胴部より小さな外周径となる首部に設定することが好ましい。また、同様に、熱収縮性フィルム３０は、容器本体７２の底部の一部を覆うようにすることが好ましい。
【００５４】
図１、図５、図６で説明した構造においては、キャップの最上面となる部分よりも摘み部が上方に突き出しているので、摘み部がつまみやすく、特に好ましい構造である。
【００５５】
図７は、容器８０が大きな外周径を有する容器本体８２と小さな外周径を有するキャップ８４を含んで構成されるところは図５と同様であるが、キャップ８４の上部が半球体８６である場合である。この場合には、キャップ８４において、円柱部分である胴部の外径から縮径する縮径部を経て半球体の頂部に至る。縮径は、円柱部分と半球体との境界から始まるので、熱収縮性フィルム３０の上端縁部４８の位置は、その円柱部分と半球体との境界の位置であるキャップ胴部の上端から所定の間隔距離を離してキャップ胴部に寄ったところに設定される。横ミシン目３４は、容器本体８２の胴部よりも小さな外周径である肩部のところに設定することが好ましい。また、熱収縮性フィルム３０は、容器本体８２の底部の一部を覆うようにすることが好ましい。
【００５６】
図８は、容器９０が大きな外周径を有する容器本体９２と小さな外周径を有するキャップ９４を含んで構成されるところは図６と同様であるが、キャップ９４が２段に渡って上部に向かって外周径が小さくなり、１段目と２段目の移り変わりの部分が円弧状となっているところが相違する。この場合には、キャップ９４において、１段目の円柱部分である胴部から２段目の円柱部分に円弧状で縮径する縮径部を経て天面部に至る。縮径は、１段目の円柱部分から２段目の円柱部分に円弧状で移り始める位置、つまり円弧状部分の最大径の位置から始まる。したがって、熱収縮性フィルム３０の上端縁部４８の位置は、キャップ胴部上端となる円弧形状の最大径の位置から下方に所定の間隔距離を離して１段目のキャップ胴部に設定される。横ミシン目３４は、容器本体９２の肩部に設定することが好ましい。また、熱収縮性フィルム３０は、容器本体９２の底部の一部を覆うようにすることが好ましい。
【００５７】
なお、図５から図８に示されるように、容器本体の底部において、その縮径に沿って覆うようにすることが好ましい。これによって、フィルム自体や切離部が除去された後のラベル部分が上方に抜けることがなくなる。つまり、容器が、その最大外周径の位置から底部に向けて縮径する容器下方部を有する場合には、熱収縮性フィルムを、縮径する容器下方部の外周表面に沿って縮径するようにすることが好ましい。これによって、熱収縮フィルムの除去が行われても、熱収縮フィルムのラベル部が上方に抜けることを防止できる。また、容器本体が、容器本体の肩部のように、その最大外周径の位置から天面部または頂部に向けて縮径する容器上方部を有する場合には、熱収縮性フィルムを、縮径する容器上方部の外周表面に沿って縮径するようにすることが好ましい。これによって、ミシン目等によって熱収縮フィルムの除去が行われても、熱収縮フィルムのラベル部が下方に抜けることを防止できる。
【００５８】
なお、容器胴部、キャップ胴部は、外周径が上下に渡って同じである円柱状、あるいは下方側の外周径に比べ上方側の外周径がいくらか大きめの上広がり円柱状の構造とすることが好ましい。このようにすることで、摘み部がより立上りやすくなる。
【図面の簡単な説明】
【００５９】
【図１】本発明に係る実施の形態において、摘み部を有する熱収縮性フィルムで包装された包装体の様子を説明する図である。
【図２】本発明に係る実施の形態の包装体を、従来技術の包装体と比較した様子を示す図である。
【図３】本発明に係る実施の形態において、加熱収縮前の熱収縮性フィルムの製造方法の１つの例を説明する図である。
【図４】本発明に係る実施の形態において、加熱収縮前の熱収縮性フィルムの詳細図である。
【図５】本発明に係る実施の形態において、容器の形態の１つの例について熱収縮性フィルムの上端縁部の配置の設定の様子を説明する図である。
【図６】図５とは異なる他の容器の形態の１つの例について熱収縮性フィルムの上端縁部の配置の設定の様子を説明する図である。
【図７】図５，６とは異なる他の容器の形態の１つの例について熱収縮性フィルムの上端縁部の配置の設定の様子を説明する図である。
【図８】図５，６，７とは異なる他の容器の形態の１つの例について熱収縮性フィルムの上端縁部の配置の設定の様子を説明する図である。
【符号の説明】
【００６０】
１０，１１  包装体、２０，６０，７０，８０，９０  容器、２２，６２，７２，８２，９２  容器本体、２４，６４，７４，８４，９４  キャップ、２９  加熱収縮前の熱収縮性フィルム、３０，３１  （加熱収縮後の）熱収縮性フィルム、３２  センターシール部、３３  傾斜切れ目、３４  横ミシン目、３５  長孔、３６  縦ミシン目、４０  印刷層、４８，４９  上端縁部、５０，５１  摘み部、６６，７６  天面部、８６  半球体。
【図１】
0005112902.tif 000002
【図２】
0005112902.tif 000003
【図３】
0005112902.tif 000004
【図４】
0005112902.tif 000005
【図５】
0005112902.tif 000006
【図６】
0005112902.tif 000007
【図７】
0005112902.tif 000008
【図８】
0005112902.tif 000009